(57)【要約】【課題】１以上の家屋、公園、庭、遊び場、運動場、ショッピングモール、駐車場、学校のような建造物からなる複合建造物を傘のように覆って、これら建造物を空に由来する大気関連のあらゆる悪影響から保護する大規模な建造物用屋根を提供する。【解決手段】本考案の建造物用屋根は、地面に固定された、保護する区域の大きさに応じた本数の鋼製支柱（１）と支柱（７）とに配置した鋼製ワイヤロープ（３）から成るくもの巣状フレーム（４）を合成ガラス繊維強化派生物（ポリ塩化ビニル膜やポリテトラフルオロエチレン膜）から選択した材料から成る布地（５）で覆って構成される。【選択図】      図２
0003135919.tif 000002
【実用新案登録請求の範囲】
【請求項１】
１以上の家屋、公園、庭、遊び場、運動場、ショッピングモール、駐車場、学校のような建造物から成る複合建造物を空に由来する大気関連のあらゆる影響から保護することができ、傘のように前記建造物を全て覆い、日光や雪、雨等の空に由来する大気関連のあらゆる要素から適用区域を保護する建造物用屋根において、
ａ）地面に固定され、前記保護される区域を取り囲む複数の鋼製支柱（１）と、
ｂ）鋼製支柱と、
ｃ）前記鋼製支柱上に配置される鋼製ワイヤロープ（３）から成るくもの巣状フレーム（４）と、
ｄ）構造の中央に位置する鋼製支柱（７）と、
ｅ）前記くもの巣状フレームを覆い、かつ光触媒物質、ガラス繊維および／または繊維派生物を含む合成材料から選択した被覆材（５）と
を備えることを特徴とする建造物用屋根。
【請求項２】
鋼製支柱（２）の高さは、前記屋根の下にある建築物の視認性にも、歩道および車道の交通にも影響を及ぼさない高さであることを特徴とする、請求項１に記載の建造物用屋根。
【請求項３】
ａ）必要に応じて前記適用区域を暖める、もしくは冷却する気候に対応するためのユニット、
ｂ）前記適用区域の照明、および必要に応じてレーザー光線を用いたショーのための照明ユニット、
ｃ）前記適用区域の散水灌漑を行うために鋼製ワイヤロープ（３）に設けられた軽量送水管、および
ｄ）前記適用区域の安全を確保するために鋼製支柱（２，７）に設置された防犯カメラ
等の副次的ユニットを少なくとも一つ含むことを特徴とする、請求項１または２に記載の建造物用屋根。
【考案の詳細な説明】
【技術分野】
【０００１】
本考案は、１以上の家屋、公園、庭、遊び場、運動場、ショッピングモール、駐車場、学校のような建造物から成る複合建造物を空に由来するあらゆる大気の悪影響から保護することができ、かつ傘のように上記建造物をすべて覆う建造物用屋根に関する。
【背景技術】
【０００２】
現在のところ、テントや帆布、日よけが使用されているが、これらは構造上の特徴によって極めて制限された空間に設置され、どちらかと言えば、屋内領域をつくるために、あるいは日差しを和らげるために使用される。
【考案の開示】
【考案が解決しようとする課題】
【０００３】
これらの製品は、これらが使用される空間の視野角を大きく妨げ、空間に対する要望に応じて種々応用するための変更にも適していない。
【０００４】
これまでに同様の技術を用いて実施されている大規模な使用はむしろ、競技場、コンサート会場、空港等の公共の場におけるものであるが、これらの建築物の屋根は壁により支持される。さらに、これらの場所での使用は集合住宅には適していない。
【０００５】
その上、周知の形態においてこの技術を使用した場合、可撓性と強度が十分ではないため、周囲の人間に悪影響を与える気候的悪条件に対して脆弱である。
【課題を解決するための手段】
【０００６】
他方、本考案の目的である屋根は、上記マイナス面に対する解決法を提供するのみならず、フレーム構造によって非常に広い区域に適用することができるため、当該空間の様々な用途への要望に応じることができる。
【０００７】
本考案の屋根は、保護すべき区域の大きさに応じて地面に固定した３本、４本、６本、８本、１０本、１２本、またはそれ以上の鋼製支柱と別の支柱とに配置した鋼製ワイヤロープから成るくもの巣状フレームを合成ガラス繊維強化派生物（ポリ塩化ビニル膜やポリテトラフルオロエチレン膜）から選択した材料から成る布地で覆って構成される。本適用では、保護すべき区域の周囲に特定の間隔で固定した鋼製支柱を基礎とする傘の形態をとり、空に由来する大気のあらゆる悪影響を阻止する。
【考案を実施するための最良の形態】
【０００８】
本考案の目的である屋根は、鋼製ワイヤロープ３から成るくもの巣状フレーム４と、構造の中央に位置する支柱７と、構造の外周に延びる２本以上の支柱１とによって、２２０００ｍ２の区域にわたって容易に広がってこれを覆う。鋼製支柱２の高さは、当該区域の視界を妨げないような高さとされる。
【０００９】
屋根は、空間を覆って日光や雪、雨等の大気関連の要素から保護するのみならず、使用方法の必要性に応じた様々な代替の構成や配置が可能である。その使用方法の一つでは、屋根は、鋼製フレーム４に設置した適切な大きさの換気装置によって、空間を暖める又は冷却するための気候条件に対応できる装置として機能する。
【００１０】
別の使用方法においては、床面から丸屋根６に、または丸屋根６から床面に光をあてる種々の照明ユニットを設けることによって空間の照明を確保し、必要に応じてライトショーを催す。
【００１１】
さらに別の使用方法においては、本考案の屋根は、屋根のフレーム構造４を形成する鋼製ワイヤロープ３に敷設した軽量の送水管を用いて、当該空間での散水灌漑を可能にする。その結果、屋根は本国において特定の地理的地域に普及している温室事業において極めて有用である。
【００１２】
さらに別の使用方法においては、鋼製支柱２および支柱７の両方に設置した防犯カメラによって、広域を確実に監視できる。
その上、本考案の下に開発された屋根は、鋼製ワイヤロープ３から成るフレームと鋼製支柱２とによって強度が非常に高く、かつ極めて高い可撓性を有する構造であり、この特徴によって本願は、公知技術を用いた特定の適用及び使用時とは相違している。このため、嵐、地震、風、および同様の条件に対するより高い耐久性を有する。
【００１３】
次に、添付の図面を参照して本考案を詳細に説明する。
異なる適用を示した図１および２に示されるように、屋根の鋼製フレームは、地面に固定された、保護すべき区域の大きさに応じた本数の鋼製支柱１から成る。さらに鋼製支柱１は、鋼製支柱２と鋼製支柱２上に設けられるワイヤロープ３からなるくもの巣状フレーム４へ延在している。
鋼製ワイヤロープ３の間隔は、被覆材５が経年変形を起こさないような間隔とされていることに注目されたい。屋根構造の中央には、構造を維持し、かつ強度を確保するために用いられる支柱７が設けられる。建造物用屋根は、くもの巣状フレーム４を繊維／ガラス繊維派生物を含む合成材料（ＰＶＣやＰＴＦＥ等の膜）から選択した材料から成る布地５で覆って完成する。鋼製支柱２を介して高くそびえる構造の上部６は円錐形の丸屋根のように見える。
前述したように１つの建造物あるいは複数の建造物から成る複合体に適用される本考案は、日光や雪、雨等の大気に関連する要素から当該区域を保護する。従って、人間、特に子供や高齢者は、どんな日でも極めて自由に移動することができ、暑い気候の地理的地域であってもスポーツ活動を日中の何時でも楽しめる。植物から失われる水分は屋根の下に落ちるため、植樹、栽植、および草花の栽培を楽に、かつより低いコストで行うことができる。
この事実にもかかわらず、屋根に覆われた建築物の寿命は長くなり、定期的なメンテナンスや修理にかかる費用、および気候へ対応するために建築物に費やされる（冷暖房）費用は実質的に減少する。
【００１４】
注目すべきは、被覆材として使用する膜５には光触媒物質が存在することである。光触媒物質の存在により、膜５はあらゆる大気条件下において確実に自浄し、汚れをはじく。各膜ユニット５は別々にくもの巣状フレーム４に連結されているため、必要なときにいつでも交換できる。
【００１５】
区域に応じた、および保護する区域の大きさに応じた本数（例えば３本、４本、６本、８本、１０本、１２本等）の鋼製支柱１により、このタイプの屋根は２２０００ｍ２の区域を容易に覆う。また、鋼製支柱２は十分な高さを有するため、屋根は、歩道や車道の交通のみならず区域の視界にも全く影響を及ぼさない。従って、屋根は予め建設された居住区域に容易に適用される。さらに、地面よりも上にある円錐構造６の排気システムにより、当該区域内で暖められた空気が上昇して排出されることが可能である。
【００１６】
本考案の屋根は地面よりも十分上方に位置するため、重作業機械による作業のみならず、重作業機械の出入りにも適する。本形態においては、保護すべき建設現場に屋根を容易に適用することができる。従って、屋根の下で新たに建築物を建設する妨げとなるものはない。
【００１７】
前述したように、本考案の下に開発された屋根は、覆った区域内の建造物を大気に関連する要素から保護するのみならず、当該区域の使用方法に応じた様々な適用の変更を可能にする。その適用変更例について、以下詳述する。
−気候への対応
膜付きくもの巣状フレーム４に取り付けられた十分な大きさの換気システムによって、必要に応じて当該区域が暖められ、又は冷却される。
−照明
地面から丸屋根６に向けた、あるいは丸屋根６から地面に向けた照明ユニットを取り付けた場合、当該区域を照光することができ、必要に応じてレーザー光線によるショーを催すことができる。
−灌漑
特に、本国の特定の地理的地域に普及している温室事業において、軽量の灌漑用パイプを鋼製ワイヤロープ３に取り付けて、当該区域に散水灌漑を行うことができる。
−保安
支柱７、および膜の周りの鋼製支柱２の両方に設置した防犯カメラによって当該区域を常時監視し、本考案の屋根により保護された広大な公共区域の安全を確保する。
【００１８】
本考案の下に開発された屋根は、その本体によって、屋根で覆われた区域を大気に関連するあらゆる要因から確実に保護する。また、本考案の適用変更例について説明したセクションで言及された補助ユニット（灌漑ユニット、照明ユニット、保安ユニット、気候への対応を行うユニット）は生活条件を大幅に高めて改善する。
【図面の簡単な説明】
【００１９】
【図１】単一の建造物に適用した本考案の屋根のイメージ図。
【図２】複数の建造物に適用した本考案の屋根のイメージ図。
【図１】
0003135919.tif 000003
【図２】
0003135919.tif 000004